(57)【特許請求の範囲】
【請求項１】
複数のシャッター装置に１対１で対応する複数の起動スイッチと、
１つの開放スイッチと、１つの閉鎖スイッチと、１つの停止スイッチと、
シャッター装置に無線信号を送信する無線信号送信手段と、
スイッチ入力に応じて、前記無線信号送信手段から送信される無線信号を決定する制御手段と、
を備え、
前記制御手段は、
起動スイッチの入力により対応するシャッター装置を選択し、
開放スイッチを用いた開放操作及び閉鎖スイッチを用いた閉鎖操作の入力は、起動スイッチの入力から一定時間である有効時間内にのみ有効とし、
前記開放スイッチ、前記閉鎖スイッチ、前記停止スイッチの１つあるいは複数からの入力であって、前記開放操作及び前記閉鎖操作の入力以外の他の入力は、有効時間内外にかかわらず有効であり、かつ、当該他の入力の直前に選択されていたシャッター装置に対応する入力として処理するように構成されている、
送信機。
【請求項２】
前記他の入力は、停止スイッチを用いた停止操作の入力である、請求項１に記載の送信機。
【請求項３】
前記複数のシャッター装置は、少なくとも２つの第１シャッター装置と、第２シャッター装置と、を含み、
前記起動スイッチは、少なくとも第１シャッター装置に対応する第１起動スイッチと、第２シャッター装置に対応する第２起動スイッチと、を含み、
第１シャッター装置の第１シャッターカーテンの移動中に第２起動スイッチが入力されて第２シャッター装置が選択された後に停止スイッチが入力された場合には、第１シャッター装置の第１シャッターカーテンが移動中であっても、当該移動中の第１シャッターカーテンが停止スイッチの入力により停止することがない、
請求項２に記載の送信機。
【請求項４】
前記他の入力は、開放スイッチ、閉鎖スイッチ、停止スイッチの１つあるいは複数の組み合わせにより入力される開放操作、閉鎖操作、停止操作の入力以外の入力である、請求項１に記載の送信機。
【発明の詳細な説明】
【技術分野】
【０００１】
本発明は、シャッター用送信機に関するものである。
【背景技術】
【０００２】
複数のシャッター装置を並設して建物開口部を開閉するような場合に、シャッター装置毎に送信機を用意して別々に操作することは煩わしく、１つの送信機からの入力で複数のシャッター装置の開閉操作を行えれば便利である。
【０００３】
１つの送信機で複数のシャッター装置の開閉操作を行う場合には、送信機に設けた選択ボタンを押してシャッター装置を選択して開閉操作を行うことになるが、選択ボタンを押してシャッター装置を選択してから一定時間内に開ボタン、閉ボタンの入力が有効とすることが考えられる。通常、シャッターカーテンが全閉状態と全開状態との間で移動する時間は上記一定時間よりも長いため、一定時間経過後にもシャッターカーテンは継続して移動することになり、停止ボタンの入力は上記一定時間内外で有効とする必要がある。
【０００４】
特許文献１には、一時的に選択信号を発する選択釦、開閉作動を行わせるための実行信号を発する開釦、閉釦を有するリモートコントローラと、前記選択信号があった時にシャッターの開閉を制限する受信部と、を有するリモートコントロール装置が開示されている。このものでは、選択釦を押さない状態、選択釦を押して所要時間経過後は、開釦、閉釦を押すことで全てのシャッターが開閉され、選択釦を押し、所要時間内に開釦、閉釦を押すと選択したシャッターのみが開閉する。停止釦は、所要時間内であっても全ての受信部が受信可能となっている。したがって、仮に、複数のシャッターカーテンが同時に移動している場合には、停止釦を押すと、全てのシャッターカーテンの移動が停止することになる。
【０００５】
特許文献２には、複数台の自動開閉装置をそれぞれ個別の遠隔操作により開放、閉鎖及び停止に切り替え操作するリモコン送信機であって、開放用及び閉鎖用の２つのスイッチと、上記複数台の自動開閉装置に各々対応する複数の停止スイッチと、この複数の停止スイッチのいずれか一つが操作された時それに対応する自動開閉装置の作動停止信号を出力し、その停止スイッチの操作後に続いて開放用又は閉鎖用のスイッチが操作された時この自動開閉装置の開放信号又は閉鎖信号を出力する制御手段と、この制御手段の出力信号に基づいて電波を発信する電波発信手段とを備えたことを特徴とする自動開閉装置用リモコン送信機、が開示されている。このものでは、複数台の自動開閉装置に各々対応する複数の停止スイッチを備えている。
【０００６】
ここで、２つのシャッター装置の選択と開閉操作を連続して行った時に、最初に移動させたシャッターカーテンの移動中に次のシャッターカーテンが移動を開始して、２つのシャッターカーテンが同時に移動している場合が想定されるが、特許文献１のように、１つの停止ボタンを押すことで全てのシャッターカーテンの移動を停止させるように設定することは、必ずしも操作者が望むこととは限らない。意図しない移動中のシャッターカーテンが停止してしまうと、再度、開閉操作をやり直す必要があり、かえって操作が煩雑となってしまう。
【０００７】
また、送信機のボタンに通常の開閉操作のための入力以外の機能（例えば、初期設定時における各種入力等）を持たせることが行われる。このような通常の開閉操作のための入力以外の入力操作も、シャッター装置を選択して行う必要がある。ここで、選択ボタンを押すことによるシャッター装置の選択が一定時間だけ有効であるとすると、選択ボタンを都度押して入力操作を行う必要があり、操作が煩雑となる。
【特許文献１】実開平０５−６９２９４号
【特許文献２】特開２０００−１７９７６号
【発明の開示】
【発明が解決しようとする課題】
【０００８】
本発明は、１つの送信機で複数のシャッター装置の開閉操作を行うものにおいて、操作者における利便性、操作性に配慮した送信機を提供することを目的とする。
【課題を解決するための手段】
【０００９】
本発明が採用した技術手段は、
複数のシャッター装置に１対１で対応する複数の起動スイッチと、
１つの開放スイッチと、１つの閉鎖スイッチと、１つの停止スイッチと、
シャッター装置に無線信号を送信する無線信号送信手段と、
スイッチ入力に応じて、前記無線信号送信手段から送信される無線信号を決定する制御手段と、
を備え、
前記制御手段は、
起動スイッチの入力により対応するシャッター装置を選択し、
開放スイッチを用いた開放操作及び閉鎖スイッチを用いた閉鎖操作の入力は、起動スイッチの入力から一定時間である有効時間内にのみ有効とし、
前記開放操作及び前記閉鎖操作の入力以外の他の入力は、有効時間内外にかかわらず有効であり、かつ、当該他の入力の直前に選択されていたシャッター装置に対応する入力として処理するように構成されている、
送信機、である。
【００１０】
前記他の入力には、停止スイッチを用いた停止操作の入力が含まれる。
１つの態様では、
前記複数のシャッター装置は、少なくとも２つの第１シャッター装置と、第２シャッター装置と、を含み、
前記起動スイッチは、少なくとも第１シャッター装置に対応する第１起動スイッチと、第２シャッター装置に対応する第２起動スイッチと、を含み、
第１シャッター装置の第１シャッターカーテンの移動中に第２起動スイッチが入力されて第２シャッター装置が選択された後に停止スイッチが入力された場合には、第１シャッター装置の第１シャッターカーテンが移動中であっても、当該移動中の第１シャッターカーテンが停止スイッチの入力により停止することがない。
停止スイッチが入力された時に、第２シャッター装置の第２シャッターカーテンが移動している場合には、停止スイッチの入力により移動中の第２シャッターカーテンが停止する。
【００１１】
前記他の入力は、開放スイッチ、閉鎖スイッチ、停止スイッチの１つあるいは複数の組み合わせにより入力される開放操作、閉鎖操作、停止操作の入力以外の入力（本明細書では、「特殊操作入力」という）を含んでいてもよい。特殊操作入力としては、典型的には、初期設定時の上限設定、下限設定のための操作入力が例示される。
【発明の効果】
【００１２】
本発明では、開放操作及び前記閉鎖操作の入力以外の他の入力は、有効時間内外にかかわらず有効であり、かつ、当該他の入力の直前に選択されていたシャッター装置に対応する入力として処理するため、前記他の入力を行う場合に、操作者が能動的にシャッター装置の選択を行う必要がない。
【００１３】
前記他の入力が停止スイッチを用いた停止操作の入力の場合に、起動スイッチの入力によりシャッター装置を選択して、当該シャッター装置のシャッターカーテンを移動させた後で、停止スイッチが押された場合には、当該移動中のシャッターカーテン（直前に選択されていたシャッター装置のシャッターカーテン）が停止するが、この場合、操作者は当該移動中のシャッターカーテンを停止させることを意図して停止スイッチを押したものと考えられるため、当該移動中のシャッターカーテンが停止することは操作者の意図に沿うものである。
【００１４】
第１シャッター装置の第１シャッターカーテンの移動中に第２起動スイッチが入力されて第２シャッター装置が選択された後に停止スイッチが入力された場合には、第１シャッター装置の第１シャッターカーテンが移動中であっても、当該移動中の第１シャッターカーテンが停止スイッチの入力により停止することがない。第１シャッター装置の第１シャッターカーテンの移動中に第２起動スイッチが入力されて第２シャッター装置が選択された時には、操作者は、前記第１シャッターカーテンの移動を停止させる意思が無いと推定できる場合が多いと考えられる。一方、第２シャッター装置が選択された後に停止スイッチが入力された場合は、第２シャッター装置の第２シャッターカーテンの移動を停止させる意図で停止スイッチが押された場合が多いと考えられ、停止スイッチの入力により移動中の第２シャッターカーテン（直前に選択されていたシャッター装置のシャッターカーテン）が停止し、仮に第１のシャッターカーテンが移動中であっても停止しないことは操作者の意図に沿う場合が多いと考えられる。
【００１５】
特殊操作入力においても、当該入力の直前に選択されていたシャッター装置に対応する入力として処理されるため、選択ボタンを都度押して入力操作を行う必要がなく、通常のリモコン操作（１機のシャッター装置に対して１つの送信機が用意されている場合）と同様の操作が可能である。
【図面の簡単な説明】
【００１６】
【図１】並設された２つの電動シャッター装置の正面図である。
【図２】本実施形態に係る送信機を示す図である。
【図３】本実施形態に係る送信機を用いたシャッター装置の動作制御を示すブロック図である。
【図４】本実施形態に係る送信機を用いたシャッター装置の動作制御を示すフローチャートである。
【図５】本実施形態に係る送信機を用いたシャッター装置の動作制御を示すフローチャートである。
【発明を実施するための形態】
【００１７】
図１は、並設された２つの電動シャッター装置１、２の正面図である。シャッター装置１は、シャッターカーテン３、シャッターカーテン３の幅方向左右端部を受け入れて案内するガイドレール４Ａ、４Ｂ、シャッターカーテン３の上端が連結された巻取シャフト（図示せず）、巻取シャフトを回転駆動させてシャッターカーテン３の開閉（上昇・下降）動作を行う開閉機（図示せず）と、を備えている。図１では、シャッター装置１のシャッターカーテン３は全閉状態にある。図１におけるシャッター装置１は、図３における第１シャッター装置に対応する。
【００１８】
シャッター装置２は、シャッターカーテン５、シャッターカーテン５の幅方向左右端部を受け入れて案内するガイドレール６Ａ、６Ｂ、シャッターカーテン５の上端が連結された巻取シャフト（図示せず）、巻取シャフトを回転駆動させてシャッターカーテン２の開閉（上昇・下降）動作を行う開閉機（図示せず）と、を備えている。図１では、シャッター装置２のシャッターカーテン５は半開状態にある。図１におけるシャッター装置２は、図３における第２シャッター装置に対応する。
【００１９】
図示の態様では、２つのシャッター装置１、２は、シャッターケース７を共有しており、各巻取シャフトは、共通のシャッターケース７内に配置されている。各シャッター装置１、２は、共通の送信機８からの遠隔操作によって独立して開閉操作される。図３では、第１シャッター装置、第２シャッター装置が、それぞれ、第１開閉制御部、第２開閉制御部、を備えているように示してあるが、シャッター装置側に設けた１つの制御部が第１開閉制御部、第２開閉制御部として機能するようにしてもよい。
【００２０】
図２に示すように、送信機８の前面には、開ボタン、閉ボタン、停ボタン、２つの起動ボタン１ｃｈ、２ｃｈ、ＬＥＤ表示部９、が配置されている。図３に示すように、さらに、送信機８は、ボタン入力にしたがって、無線送信されるべき所定の信号を決定する制御手段と、決定された信号を電波として送信する送波手段（無線信号送信手段）と、を備えている。
【００２１】
本実施形態では、送信機８は２つのシャッター装置１、２を開閉操作するものであり、２つの起動ボタン１ｃｈ、２ｃｈを備えているが、１つの送信機で３つ以上のシャッター装置を開閉操作する場合には、シャッター装置の数に対応する数の起動ボタン（３つのシャッター装置であれば、３つの起動ボタン）が設けられる。開ボタン、閉ボタン、停ボタンは、２つのシャッター装置１、２で共通している。
【００２２】
起動ボタン１ｃｈは、シャッター装置１を選択して起動させる第１起動スイッチであり、起動ボタン１ｃｈを押すとシャッター装置１が選択され、開ボタン、閉ボタンからの入力によるシャッター装置１の操作が可能となる。起動ボタン２ｃｈは、シャッター装置２を選択して起動させる第２起動スイッチであり、起動ボタン２ｃｈを押すとシャッター装置２が選択され、開ボタン、閉ボタンからの入力によるシャッター装置２の操作が可能となる。チャンネルｃｈの選択、すなわち、シャッター装置の選択は、起動ボタン入力後一定時間（本実施形態では５秒間）の有効時間の間だけ有効である。１つの態様では、有効時間内にある時は選択された起動ボタンが発光することで、有効時間内であることを操作者に認識させる。
【００２３】
開ボタンは、選択されたシャッター装置のシャッターカーテンを上昇させるための開放スイッチであり、選択されたシャッター装置のシャッターカーテンが全閉状態あるいは半開状態にある時に開ボタンを押すと、送波手段から上昇信号が無線送信され、上昇信号を受信したシャッター装置の開閉制御部から、選択されたシャッター装置の開閉機に上昇駆動信号が送信され、当該開閉機が巻取シャフトを当該巻取シャフトがシャッターカーテンを巻き取る方向に回転駆動して、シャッターカーテンを上昇させる。シャッター装置において、上限位置が設定されており、上昇するシャッターカーテンが上限位置に達するとリミットスイッチが働いてシャッターカーテンの上昇が停止する。
【００２４】
閉ボタンは、選択されたシャッター装置のシャッターカーテンを下降させるための閉鎖スイッチであり、選択されたシャッター装置のシャッターカーテンが全開状態あるいは半開状態にある時に閉ボタンを押すと、送波手段から下降信号が無線送信され、下降信号を受信したシャッター装置の開閉制御部から、選択されたシャッター装置の開閉機に下降駆動信号が送信され、当該開閉機が巻取シャフトを当該巻取シャフトがシャッターカーテンを繰り出す方向に回転駆動して、シャッターカーテンを下降させる。シャッター装置において、下限位置が設定されており、下降するシャッターカーテンが下限位置に達するとリミットスイッチが働いてシャッターカーテンの下降が停止する。
【００２５】
停ボタンは、上昇中ないし下降中のシャッターカーテンの移動を停止させるための停止スイッチであり、停ボタンを押すと、送波手段から停止信号が無線送信され、停止信号を受信したシャッター装置の開閉制御部から、選択されたシャッター装置の開閉機に駆動停止信号が送信され、当該開閉機の回転を停止することで巻取シャフトの回転を停止し、移動中のシャッターカーテンを停止させる。
【００２６】
ＬＥＤ表示部９は、各ボタンが押された時に発光することで、押されたボタン入力が有効であり、送信機８の送波手段から電波が送信されたことを操作者に認識させるための表示部である。ボタンを押してもＬＥＤ表示部９が発光しない場合には、当該ボタン操作による入力が無効であり、電波が送信されていないことを意味する。
【００２７】
送信機８は、シャッター装置の通常運転時に用いられる開放操作、閉鎖操作、停止操作以外の遠隔操作（本明細書では、「特殊操作」という）を行うことができる。特殊操作は、典型的には、シャッター装置の運転制御に用いられる様々な値を設定するための操作である。具体的な例では、上限位置の設定、下限位置の設定、負荷検知の感度設定（過負荷か否かを判定する基準となる値の設定）が挙げられ、これらの設定は、シャッター装置の初期設定時に行われる。特殊操作には、シャッター装置の運転モードの移行操作を含んでもよい。モード移行操作としては、通常の運転モードから初期設定モードへの移行操作、通常の運転モードから報知モード（動作履歴、開閉回数等を出力するモード）への移行操作が挙げられる。初期設定モード、報知モードにおける各種ボタン入力操作も特殊操作に含まれる。特殊操作の入力は、開ボタン、閉ボタン、停ボタンの押し操作を１つ（この場合は、所定時間以上の長押しや所定時間内の複数回押し操作が例示される）あるいは複数組み合わせることによる入力によって行われる。例えば、「停ボタンを押しながら閉ボタンを３回押す」、「停ボタンを押しながら開ボタンを３回押す」等によって特殊操作の入力が行われる。
【００２８】
シャッター装置の通常運転時の開放操作、閉鎖操作について説明する。開ボタンからの開放操作、閉ボタンからの閉鎖操作は、起動ボタンが押されてから一定時間（本実施形態では、５秒間）の有効時間だけ有効となる。すなわち、開ボタン操作及び閉ボタン操作が有効なのは、起動ボタンが押されてから一定時間（本実施形態では、５秒間）だけであり、当該一定時間以外の時には、開ボタン入力及び閉ボタン入力は無効である。よって、本実施形態では、起動ボタン１ｃｈを押してシャッター装置１を選択してから、５秒経過後に、開ボタンないし閉ボタンを押しても、有効時間外の入力となるため押しボタン入力は無効であり、ＬＥＤ表示部は発光しない。
【００２９】
図１の状態において、起動ボタン１ｃｈを押してシャッター装置１を選択し、有効時間内に開ボタンを押すと、全閉状態にあるシャッターカーテン３が上昇を開始する。図１の状態において、起動ボタン２ｃｈを押してシャッター装置２を選択し、有効時間内に開ボタンを押すと、半開状態にあるシャッターカーテン５が上昇を開始する。あるいは、起動ボタン２ｃｈを押してシャッター装置２を選択し、有効時間内に閉ボタンを押すと、半開状態にあるシャッターカーテン５が下降を開始する。
【００３０】
１つの態様では、有効時間内に開ボタン、閉ボタンの一方のボタンから押しボタン入力があった場合には、当該有効時間内の他方のボタンからの押しボタン入力は無効である。すなわち、有効時間内に開ボタン（閉ボタン）が押された場合には、当該有効時間内の閉ボタン（開ボタン）入力が無効である。当該有効時間内において、停ボタン入力は有効である。
【００３１】
１つの態様では、有効時間内に閉ボタンないし停ボタンが押された場合には、押しボタン入力の都度、当該有効時間は一定時間（本実施形態では、５秒間）延長される。同様に、有効時間内に開ボタンないし停ボタンが押された場合には、押しボタン入力の都度、当該有効時間は一定時間（本実施形態では、５秒間）延長される。
【００３２】
起動スイッチの入力は、他の起動スイッチの入力に基づく有効時間内でも有効であり、シャッター装置１のシャッターカーテン３、シャッター装置２のシャッターカーテン５を連続して開閉操作することが可能である。より具体的には、起動ボタン１ｃｈを起動して開ボタンを押してシャッターカーテン３を上昇させ、開ボタンを押した後、直ぐに起動ボタン２ｃｈを起動して開ボタンを押してシャッターカーテン５を上昇させることができる。
【００３３】
開ボタンからの開放操作のための入力、閉ボタンからの閉鎖操作のための入力以外のボタン操作入力は、起動ボタンが押されてから所定時間（本実施形態では、５秒間）以外の場合も有効である。開ボタンからの開放操作及び閉ボタンからの閉鎖操作の入力以外のボタン操作入力としては、例えば、停ボタンを押すことによる停止操作のための入力、特殊操作のためのボタン操作入力、が挙げられる。
【００３４】
本実施形態では、前記開放操作及び前記閉鎖操作の入力以外の他の入力に応じて、当該ボタン操作入力が行われる直前に選択されていたチャンネル（ｃｈ）、すなわちシャッター装置に対して電波が送信されるようになっている。すなわち、停ボタンを押した時の停止信号はシャッター装置１、２の両方に送信されるのではなく、当該停ボタンが押される直前に選択されていたシャッター装置１、２のいずれかに送信される。ボタン操作入力による特殊操作の送波は、シャッター装置１、２の両方に送信されるのではなく、ボタンが押される直前に選択されていたシャッター装置１、２のいずれかに送信される。
【００３５】
ボタン操作入力が行われる直前に選択されていたチャンネル（ｃｈ）、すなわちシャッター装置は、次のように解釈することができる。
（ア）起動ボタンを押してシャッター装置を選択して、有効時間内に開ボタンあるいは閉ボタンを押してシャッターカーテンを上昇ないし下降させた後の最初のボタン操作入力が停ボタン操作入力（シャッターカーテンの移動中に入力される）ないし特殊操作入力（例えば、シャッターカーテンが全閉状態で入力される）であった場合に、当該停ボタン操作入力ないし特殊操作入力は「前記選択されたシャッター装置」に対するものとして処理される。
（イ）起動ボタンを押してシャッター装置を選択して、有効時間内に開ボタンあるいは閉ボタンを押してシャッターカーテンを上昇ないし下降させた後、シャッターカーテンの移動中に、再度同じ選択されたシャッター装置に対応する起動ボタンが押され、起動ボタン操作入力後の最初のボタン操作入力が停ボタン操作入力であった場合に（シャッターカーテンの移動継続中）、当該停ボタン操作入力は「前記選択されたシャッター装置」に対するものとして処理され、シャッターカーテンの移動は停止する。
【００３６】
（ウ）第１の起動ボタンを押して第１のシャッター装置を選択して、有効時間内に開ボタンあるいは閉ボタンを押して第１のシャッターカーテンを上昇ないし下降させた後、第１のシャッターカーテンの移動中に、第２のシャッター装置に対応する第２起動ボタンが押され、第２起動ボタン操作入力後の最初のボタン操作入力が停ボタン操作入力であった場合には（第１のシャッターカーテンの移動継続中）、ボタン操作入力が行われる直前に選択されていたシャッター装置は第２のシャッター装置であり、当該停ボタン操作入力は「第２のシャッター装置」に対するものとして処理され、第１のシャッターカーテンの移動は停止しない。
（エ）第１の起動ボタンを押して第１のシャッター装置を選択して、有効時間内に開ボタンあるいは閉ボタンを押して第１のシャッターカーテンを上昇ないし下降させた後、第１のシャッターカーテンの移動中に、第２のシャッター装置に対応する第２起動ボタンが押され、有効時間内に開ボタンあるいは閉ボタンを押して第２のシャッターカーテンを上昇ないし下降させた後の最初のボタン操作入力が停ボタン操作入力であった場合には（第１のシャッターカーテンの移動継続中）、ボタン操作入力が行われる直前に選択されていたシャッター装置は第２のシャッター装置であり、当該停ボタン操作入力は「第２のシャッター装置」に対するものとして処理され、第２のシャッターカーテンの移動が停止し、第１のシャッターカーテンの移動は停止しない。
【００３７】
（オ）起動ボタンを押してシャッター装置を選択して、有効時間内に開ボタンあるいは閉ボタンからの入力がなかった場合に、有効時間経過後に特殊操作入力があった場合に、当該特殊操作入力は、「当該選択されたシャッター装置」に対するものとして処理される。
（カ）起動ボタンを押してシャッター装置を選択して、有効時間内に開ボタンあるいは閉ボタンからの入力を行わず特殊操作入力があった場合に、当該特殊操作入力は、「当該選択されたシャッター装置」に対するものとして処理される。
【００３８】
なお、出荷時には、チャンネル（ｃｈ）１がデフォルトとなっている。したがって、シャッター装置の最初の初期設定時に、特殊操作入力を行うと、自動的に「シャッター装置１」に対する入力として処理される。シャッター装置２について最初に初期設定したい場合には、起動ボタン２ｃｈを押して、その直後に特殊操作入力を行えば、特殊操作入力の直前に選択されていたシャッター装置２に対する入力として処理される。
【００３９】
本実施形態に係る送信機８を用いたシャッター装置の動作制御を図４、図５を参照しつつ説明する。図４において、起動ボタン１ｃｈを押してシャッター装置１を選択する。起動ボタン１ｃｈが発光することで、シャッター装置１の選択が有効時間内であることを表示する。開ボタンが押されると、有効時間内（起動ボタン１ｃｈを押してから５秒以内）に開ボタンが押されたか否かが判定され、有効時間内に開ボタンが押された場合には、開ボタン操作入力が有効となり、シャッター装置１のシャッターカーテン３を上昇させるための電波が送信され（ＬＥＤ表示部９が発光する）、シャッターカーテン３が上昇する。また、有効時間がさらに一定時間（５秒間）延長される。有効時間外（起動ボタン１ｃｈを押してから５秒経過後）に開ボタンが押された場合には、開ボタン操作入力は有効である。シャッターカーテン３の上昇中（有効時間内でも有効時間経過後でもよい）に停ボタンを押した場合には、停止信号は、当該停ボタンを押す直前に選択されていたシャッター装置１の開閉制御部に対して送信され（ＬＥＤ表示部９が発光する）、シャッター装置１のシャッターカーテン３の上昇が停止する。
【００４０】
図５において、起動ボタン１ｃｈを押してシャッター装置１を選択する。有効時間内（起動ボタン１ｃｈを押してから５秒以内）に開ボタンを押して、シャッター装置１のシャッターカーテン３を上昇させる。シャッターカーテン３の上昇中に起動ボタン２ｃｈを押して、シャッター装置２を選択する。起動ボタン２ｃｈが発光して有効時間であることを表示する。有効時間内（起動ボタン２ｃｈを押してから５秒以内）に閉ボタンを押して、シャッター装置２のシャッターカーテン５を下降させる。シャッターカーテン５の下降中（有効時間内でも有効時間経過後でもよい）に停ボタンを押した場合には、停止信号は、当該停ボタンを押す直前に選択されていたシャッター装置２の開閉制御部に対して送信され、シャッター装置２のシャッターカーテン５の下降が停止する。停ボタンが押された時に、シャッター装置１のシャッターカーテン３が上昇中であっても、シャッターカーテン３の上昇が停止することはない。
【符号の説明】
【００４１】
１  シャッター装置
２  シャッター装置
３  シャッターカーテン
５  シャッターカーテン
８  送信機
【図１】
0006017158.tif 000002
【図２】
0006017158.tif 000003
【図３】
0006017158.tif 000004
【図４】
0006017158.tif 000005
【図５】
0006017158.tif 000006